(57)【要約】【課題】搬送経路に沿って枚葉紙を搬送するための少なくとも１つの搬送部材と、枚葉紙を搬送方向でガイドするための少なくとも１つのガイド部材とを有する、印刷技術的な機械を通して枚葉紙を搬送するための装置を改良して、安価な材料費及びコストで確実な枚葉紙ガイドが可能なものを提供する。【解決手段】ガイド部材として少なくとも１つの縦長のばね部材２１が設けられている。【選択図】図２
2005041202.tif 000002
【特許請求の範囲】
【請求項１】
印刷技術的な機械内で枚葉紙を搬送するための装置であって、搬送経路に沿って枚葉紙を搬送するための少なくとも１つの搬送部材と、枚葉紙を搬送方向でガイドするための少なくとも１つのガイド部材とを備えている形式のものにおいて、
ガイド部材として少なくとも１つの縦長のばね部材（２１）が設けられていることを特徴とする、印刷技術的な機械内で枚葉紙を搬送するための装置。
【請求項２】
ばね部材としてコイルばね（２１）が設けられている、請求項１記載の装置。
【請求項３】
コイルばね（２１）が、丸ワイヤから曲げられた複数の巻条を有している、請求項２記載の装置。
【請求項４】
複数の引張コイルばね（２１）が平行に配置されている、請求項２記載の装置。
【請求項５】
引張コイルばね（２１）の両端部（２８）がそれぞれ共通のホルダ（２９）に固定されている、請求項４記載の装置。
【請求項６】
コイルばね（２１）の両端部がフレーム固定された心棒（２７）でガイドされている、請求項２記載の装置。
【請求項７】
コイルばね（２１）が、枚葉紙の搬送方向（８）に対して横方向に組み込まれたブレーキモジュール（７．１〜７．５）間に配置されている、請求項２記載の装置。
【請求項８】
コイルばね（２１）の両端部が、ブレーキモジュール（７．１〜７．５）と共に、搬送方向（８）に対して横方向で可動であって、この場合、コイルばね（２１）は、ブレーキモジュール（７．１〜７．５）の位置決め領域内でほぼ伸びた状態に維持されるまで緊張されている、請求項７記載の装置。
【請求項９】
コイルばね（２１）が、枚葉紙サイズ切り替えのために、搬送方向で、互いに可動な２つの搬送部材（６．３６）間に配置されている、請求項２記載の装置。
【発明の詳細な説明】
【技術分野】
【０００１】
本発明は、印刷技術的な機械内で枚葉紙を搬送するための装置であって、搬送経路に沿って枚葉紙を搬送するための少なくとも１つの搬送部材と、枚葉紙を搬送方向でガイドするための少なくとも１つのガイド部材とを備えている形式のものに関する。
【背景技術】
【０００２】
印刷機においては、公知なように、枚葉紙を最後の印刷装置からパイル（積み紙）に送り、この際に枚葉紙の前縁部を、循環するチェーン伝動装置に固定されたグリッパで保持するようになっている。枚葉紙を積み紙上に載せる前に、枚葉紙の搬送速度を、枚葉紙幅に関連して幅の狭いサクションベルトを有するブレーキモジュールによって減速させるようになっている。薄い枚葉紙は、ブレーキモジュール間で垂れ下がる傾向にある。このような枚葉紙の垂れ下がりは、パイル形成に不都合に作用し、角隅の折れ曲がりが形成される原因となる。搬送方向に対して横方向の位置を枚葉紙幅に合わせるために、ブレーキモジュールは横方向に調節される。ブレーキモジュール間の間隔は異なっていてよい。そのために、ブレーキモジュール間の枚葉紙垂れ下がりを減少させるために設けられる支持部材の幅を調節する必要がある。
【０００３】
ドイツ連邦共和国特許公開第１０１３４８３６号明細書に記載された、枚葉紙印刷機のための排紙装置においては、枚葉紙搬送方向に対して横方向に移動可能な複数のブレーキ装置が設けられている。隣接し合うブレーキ装置間の中間室内に、フレキシブルなベルトより成る枚葉紙ガイド装置が配置されており、このベルトの長さが、隣接し合うブレーキ装置の間隔に合わせることができるようになっている。このような巻き上げブラインド（Rollo）形式による枚葉紙の支持構造は、転動緊締機構（Rollenspannmechnismus）を必要とするために構造的に高価であって、大きい構造スペースを必要とする。しかも、使用された変向及び緊締ローラは、特に排紙装置内において汚れに対して弱い。排紙装置内では枚葉紙が汚れるのを避けるためにパウダーが噴霧される。
【０００４】
さらにまた支持部材として、支持幅の調節ができないガイドプレート（金属薄板ガイド部材）又はガイドブラケット（Ｕ字形ガイド部材）も公知である。それぞれの必要に応じて、種々異なる幅のガイドプレート又は種々異なる数のガイドブラケットが使用される。また、重なり合って位置していてテレスコープ式に構成された、支持幅調節可能なガイドプレート又はガイドブラケットを設けることも公知である。このような構造は費用がかかり、しかも汚れやすい。
【特許文献１】ドイツ連邦共和国特許公開第１０１３４８３６号明細書
【発明の開示】
【発明が解決しようとする課題】
【０００５】
そこで本発明の課題は、印刷技術的な機械を通して枚葉紙を搬送するための装置を改良して、安価な材料費及びコストで確実な枚葉紙ガイドが可能なものを提供することである。
【課題を解決するための手段】
【０００６】
この課題を解決した本発明によれば、ガイド部材として少なくとも１つの縦長のばね部材が設けられている。
【発明の効果】
【０００７】
本発明によれば、枚葉紙のためのガイド部材として縦長のばね部材が搬送方向に対して横方向又は搬送方向に沿った縦方向で緊張されている。両端部がホルダに固定されているコイルばねが特に適している。枚葉紙接触時の振動を避けるために、コイルばねの両端部は心棒でガイドされている。互いに並んで配置された複数のコイルばねを使用したことによって、枚葉紙に点状に接触する支持面が得られる。丸ワイヤ（Runddraht）から成る、巻条を備えたコイルばねは、パウダーに対して強く、安価でしかも、枚葉紙を傷つける鋭い縁部を有していない。コイルばね表面は、枚葉紙を特にデリケートな扱いでガイドすることができる特別なコーティングを有している。コイルばねは可撓性であるので、枚葉紙がコイルばねに衝撃的に接触すると緩衝作用を行う。本発明は、枚葉紙を処理し、コーティングし、検査又は単に搬送する機械において使用することができる。本発明において枚葉紙とは、一枚単位の紙、まとめられた複数の紙或いは折り丁又は折り畳み品のことである。
【発明を実施するための最良の形態】
【０００８】
以下に図示の実施例を用いて本発明を具体的に説明する。
【０００９】
図１に示した排紙装置１は印刷装置２の後ろに接続されている。印刷装置２は、版胴２．１と、ゴムブランケット胴２．２と、１回転式の巻掛けガイドドラム２．３と、半回転式の巻掛けガイドドラム２．４とを有している。枚葉紙３は相次いで個別にチェーンコンベヤ４によって印刷装置２から紙積装置５に搬送される。紙積装置５は、プラットフォーム５．１と、昇降チェーン５．２と、さらに前縁部ストッパ５．３と後縁部ストッパ５．４とを有している。チェーンコンベヤ４は、特にコンベヤチェーン４．１とチェーングリッパ４．２と、駆動スプロケット４．３と変向スプロケット４．４とを有している。排紙装置１の上昇領域には中空の枚葉紙ガイド装置６が設けられている。この枚葉紙ガイド装置６は、ブローエアを供給若しくは導出するための、２つの入口スリーブ６．１，６．２と１つの出口スリーブ６．３とを有している。枚葉紙３に向いた側で、枚葉紙ガイド装置６はブローノズルを備えており、このブローノズルは図１には示されていない。排紙装置１は、ブレーキ装置７を有しており、このブレーキ装置７については後で詳しく説明する。
【００１０】
図２に示したブレーキステーション７は、枚葉紙３の搬送方向８に対して平行な配置で、５つのサクションベルトモジュール７．１乃至７．５を有している。サクションベルトモジュール７は、搬送方向８に対して横方向で、枚葉紙３の非印刷範囲上に個別に位置決め可能である。このためにサクションベルトモジュール７は、フレーム１０．１，１０．２内に固定されたガイドロッド９に支承されている。位置決め駆動装置としてステップモータ１１．１乃至１１．５が設けられており、これらのステップモータはサクションベルトモジュール７．１乃至７．５に連結されている。ステップモータ１１のモータ軸には、それぞれこのモータ軸に相対回動不能に（一緒に回転するように）結合されたピニオン１２が配置されており、このピニオン１２はチェーン１３に噛み合い、チェーン１３の両端部はフレーム１０．１，１０．２内に固定されていて、ガイドロッド９に対して平行に整列されている。サクションベルトモジュール７はサクションベルト１４を有していて、このサクションベルト１４は変向ローラを介してガイドされている。それぞれ１つの変向ローラが、フレーム１０．１，１０，２内に回転可能に支承された軸１５に連結されていることによって、これらのサクションベルト１４は同期駆動される。軸１５は伝動装置１６及びモータ１７に連結されている。サクションベルト１４の下側にはサクションチャンネルが延在しており、このサクションチャンネルは、導管１８を介して圧縮空気源に接続されている。導管１８は、導管通路１９内に可動に配設されている。サクションベルトモジュール７には後縁部ストッパ５．４が固定されている。枚葉紙３の種々異なる縦サイズに合わせるために、図２に全体が示されたブレーキステーション７がサクションベルトモジュール７．１乃至７．５と共に、排紙装置１内で搬送方向８に位置決めされるようになっている。サクションベルト１４は吸込み空気孔２０を有している。枚葉紙３がチェーングリッパ４．２によってサクションベルト１４上にガイドされると、枚葉紙３はサクションベルト１４の吸込み作用によってサクションベルト１４上に保持される。特に薄い枚葉紙３は、サクションモジュール７．１乃至７．５の間で垂れ下がる傾向にある。このような垂れ下がる枚葉紙３を支持するために、隣接し合うサクションベルトモジュール７．１乃至７．５間にそれぞれ３つの引張コイルばね２１が配置されている。引張コイルばね２１は、サクションベルト１４上の枚葉紙３のための載設平面２３の下側の平面２２内でそれぞれ互いに平行に配置されている。
【００１１】
図３には、引張コイルばね２１がサクションベルトモジュール７．２の両側にどのように懸架されているかを、３方向から見た図で示している。サクションベルトモジュール７．１乃至７．５はベース体２４より成っており、このベース体２４内には、１つのサクションベルト１４のための２つの変向ローラ２５，２６が支承されている。変向ローラ１４は軸１５を介して駆動される。３つの引張コイルばね２１の両端部は、心棒２７を介してガイドされていて、フック状のアイ２８で心棒２７に懸架されている。心棒２７はホルダ２９に固定されている。ホルダ２９を固定するためにねじ山付きピン３０が設けられており、このねじ山付きピン３０はベース体２４の両側から突き出している。ホルダ２９は、ローレット目付きナット３１，２２でねじ山付きピン３０にねじ込まれる。ダウエルピン３３，３４は、ねじ山突きピン３０でホルダ２９の回転位置を固定し、サクションベルト平面２３に対する引張コイルばね２１の支持面の間隔ｄを固定する。この間隔ｄは同時に枚葉紙３の最大垂れ下がりを規定する。
【００１２】
図４は、枚葉紙サイズ切り替えのために引張ばね３５が設けられている実施例を示している。多数の平行な引張ばね３５は、枚葉紙３の幅全体に亘って搬送方向８に配置されている。引張ばね３５は、一端部が枚葉紙ガイド装置６に固定されていて、他端部が平らなガイド部材３６に固定されている。ガイド部材３６はブレーキ装置７に連結されている。新たな枚葉紙縦サイズに調節するために、ブレーキ装置７と後縁部ストッパ５．４とが、２重矢印３７で示されたように、搬送方向８で水平に位置決めされると、ガイド部材３６と、このガイド部材３６に固定された引張ばね３５とが連行される。引張ばね３５は、多かれ少なかれ搬送方向８で伸張して、枚葉紙ガイド装置６とガイド部材３６との間の領域内で枚葉紙３のための載設面を形成している。ガイド部材３６を省いて、引張ばね３５の端部をブレーキ装置７に直接固定してもよい。
【図面の簡単な説明】
【００１３】
【図１】枚葉紙のためのブレーキステーションを備えた印刷機の排紙装置の概略図である。
【図２】枚葉紙のための支持部材としての引張コイルばねを備えたブレーキステーションの概略図である。
【図３】心棒を備えたホルダにおける引張コイルばねの懸架部を３方向から見た図である。
【図４】本発明による装置を枚葉紙サイズ切り替え装置として使用した状態を示す概略図である。
【符号の説明】
【００１４】
１  排紙装置、  ２  印刷装置、  ２．１  版胴、  ２．２  ゴムブランケット胴、  ２．３，２．４  ガイドドラム、  ３  枚葉紙、  ４  チェーンコンベヤ、  ４．１  コンベヤチェーン、  ４．２  チェーングリッパ、  ４．３  駆動スプロケット、  ４．４  変向スプロケット、  ５  紙積装置、  ５．１  プラットフォーム、  ５．２  昇降チェーン、  ５．３  前縁部ストッパ、  ５．４  後縁部ストッパ、  ６  枚葉紙ガイド装置、  ６．１，６．２  入口スリーブ、  ６．３  出口スリーブ、  ７  ブレーキ装置、  ７．１〜７．５  サクションベルトモジュール、  ８  搬送装置、  ９  ガイドロッド、  １０．１，１０．２  フレーム、  １１．１〜１１．５  ステップモータ、  １２  ピニオン、  １３  チェーン、  １４  サクションベルト、  １５  軸、  １６  伝動装置、  １７  モータ、  １８  導管、  １９  導管通路、  ２０  吸込み空気孔、  ２１  引張コイルばね、  ２２，２３  平面、  ２４  ベース体、  ２５，２６  変向ローラ、  ２７  心棒、  ２８  アイ、  ２９  ホルダ、  ３０  ねじ山突きピン、  ３１，３２  ローレット目付きナット、  ３３，３４  ダウエルピン、  ３５  引張ばね、  ３６  ガイド部材、  ３７  ２重矢印
【図１】
2005041202.tif 000003
【図２】
2005041202.tif 000004
【図３】
2005041202.tif 000005
【図４】
2005041202.tif 000006